(57)【要約】【課題】靴下等に取り付けるカードをカード装着装置に対して１枚ずつ決まった位置で供給することができ、また、より多くのカードを収納してカード補充の作業回数を減らすことができ、さらに、カードの収納枚数が変化してもカードの抜き取り抵抗がほぼ一定に保たれて機械によるカードの取出しがミスなく実施されるカード送り機構を備えたカードケースを提供する。【解決手段】側壁２ａ、２ｂ、前壁２ｃ、後壁２ｄ、長孔７を有する底壁２ｅとで構成されたケース本体２と、開閉可能な蓋３と、スタンド４と、プッシャ５ａ、そのプッシャを連結したスライダ５ｂ、先端をスライダ５ｂに接続した定荷重渦巻きばね５ｃとからなるカード送り機構５とを組合わせて先端にカード取出し口６を有するカードケース１を構成した。                                                                          【選択図】図１
2005219920.tif 000002
【特許請求の範囲】
【請求項１】
対向２側壁、対向した前後壁、及びケース長手方向に延びる長孔を設けた底壁とで構成され、２つ折りしたカードを内部に縦列に並べて収納するケース本体と、
このケース本体の上部開口を塞ぐ開閉可能な蓋と、
前記底壁を浮き上がらせてケース本体を支えるスタンドと、
ケース本体の内部に配置して最後尾のカードを前方に向けて押すプッシャ、前記長孔に対する挿通部を前記プッシャに連結して前記底壁の下部に沿わせるスライダ、及びケース本体の前方下部に固定して設ける定荷重渦巻きばねを有し、前記定荷重渦巻きばねの先端を前記スライダに接続して構成されるカード送り機構と、
ケース本体の前壁と蓋を切り欠いてケースの前部と上部に開口させたカード取出し口とを備えて成るカードケース。
【請求項２】
前記ケース本体と蓋を透明プラスチック又は透明強化ガラスで形成した請求項１に記載のカードケース。
【発明の詳細な説明】
【技術分野】
【０００１】
この発明は、製造した靴下などに取り付けるカードを収納し、そのカードを自己が備えるカード送り機構でカード付けを行う装置に１枚ずつ供給するカードケースに関する。
【背景技術】
【０００２】
例えば、靴下は、ハンガーに吊り下げて商品として展示することが多くなって来ている。その吊り下げ展示のために、メーカはユーザの要望に応じて靴下にカード（意匠模様や商標などが印刷された２つ折りの台紙にフックを設けたもの）を取り付けて製品の靴下を出荷することがある。
【０００３】
カード付けは、位置を揃えた一足の靴下の例えば履き口側を２つ折りしたカードで挟み（履き口側とは反対側の踵側を挟むこともある）、その後、靴下にカードをミシンで縫い付ける方法でなされる。この際のカードの供給は、作業者が容器にランダムに収納されたカードを１枚ずつ取り出して靴下にセットする方法が採られていたが、これでは作業能率が高まらない。
【０００４】
その対策として、本出願人は、カードの裏側と表側を２組の吸着パッドでそれぞれ吸着し、２組の吸着パッドの相対位置を変化させることで２つ折りされたカードを開き、この状態を保持してカードを定位置に位置決めされた靴下の履き口側に移動させて靴下に装着し、その後、カード押え装置でカードを上下から挟み、カードをセットした靴下をカード押え装置による押さえ状態を維持してカード縫い付けミシンに送り込むカード装着装置を開発した。
【０００５】
そのカード装着装置に対しては、カードを１枚ずつ決まった位置で確実に供給する必要がある。
【発明の開示】
【発明が解決しようとする課題】
【０００６】
カードの供給は人手で行うこともできるが、この方法は専任の作業者を必要とするので好ましくない。
【０００７】
そこで、この発明は、カード装着装置に対してカードを１枚ずつ決まった位置で供給することができ、また、より多くのカードを収納してカード補充の作業回数を減らすことができ、さらに、カードの収納枚数が変化してもカードの抜き取り抵抗がほぼ一定に保たれて機械によるカードの取出しがミスなく実施されるカード送り機構を備えたカードケースを提供することを課題としている。
【課題を解決するための手段】
【０００８】
上記の課題を解決するために、この発明においては、対向２側壁、対向した前後壁、及びケース長手方向に延びる長孔を設けた底壁とで構成され、２つ折りしたカードを内部に縦列に並べて収納するケース本体と、
このケース本体の上部開口を塞ぐ開閉可能な蓋と、
前記底壁を浮き上がらせてケース本体を支えるスタンドと、
ケース本体の内部に配置して最後尾のカードを前方に向けて押すプッシャ、前記長孔に対する挿通部を前記プッシャに連結して前記底壁の下部に沿わせるスライダ、及びケース本体の前方下部に固定して設ける定荷重渦巻きばねを有し、前記定荷重渦巻きばねの先端を前記スライダに接続して構成されるカード送り機構と、
ケース本体の前壁と蓋を切り欠いてケースの前部と上部に開口させたカード取出し口とを備えて成るカードケースを提供する。
【０００９】
このカードケースのケース本体と蓋は、透明プラスチックや透明強化ガラスで形成すると外部からのカードの残量確認が行えて好ましい。
【発明の効果】
【００１０】
この発明のカードケースは、ケース本体の前壁と蓋を切り欠いて構成されるカード取出し口を備えており、最前列のカードを吸着パッドで吸着し、上側に引き抜く単純な動作によってケースからカードを１枚ずつ取り出すことができる。
【００１１】
また、カードの送り装置を備えており、１枚のカードの取出しに伴って収納したカードが順次前方に送り出されるので、取出し位置が変化しない。これに加えて、プッシャによる押し力を定荷重渦巻きばねで与えているので、圧縮コイルばねや引っ張りばねでプッシャを動かす場合に収納カードの減少に伴って起こる押し力変動も防止され、ケースからのカード抜き取り抵抗がほぼ一定して抜き取りミスが発生しない。
【００１２】
さらに、圧縮コイルばねや引っ張りばねでプッシャを動かす場合には、ばねが自由状態にあるときの長さ相当分の無効スペースがケースの内部に生じ、その分カードの収納枚数が少なくなってカードの補充回数が増加することを避けられないが、この発明のカードケースは渦巻きばねでプッシャを引き動かすので前述の無効スペースが少なくなり、より多くのカードを収納してカード補充回数を減少させることもできる。
【発明を実施するための最良の形態】
【００１３】
以下、この発明の実施形態を添付図面に基づいて説明する。図１〜図４に示すように、このカードケース１は、上部が開口した横長のケース本体２と、このケース本体２の上部に被せる蓋３と、ケース本体２を支えるスタンド４と、カード送り機構５と、カード取出し口６とを備えている。
【００１４】
ケース本体２は、対向２側壁２ａ、２ｂと、前壁２ｃと、前壁２ｃに対向した後壁２ｄと、ケース長手方向に延びる長孔７を設けた底壁２ｅとで構成されている。このケース本体２は内部が透けて見える透明なプラスチック板で形成したが、透明な強化ガラス板などで形成することもできる。また、透明であることは望ましいに過ぎず、金属板などで形成してもよい。
【００１５】
蓋３は、ケース本体２の上部開口を開閉可能に塞ぐ。この蓋３は後端部をケース本体の後壁２ｄの上縁にヒンジ結合し、一側部を留め具８でケース本体の側壁２ａに引き留めるようにしてある。この蓋３もケース本体２と同様の材料で形成される。
【００１６】
スタンド４は、底壁２ｅの下部に垂下して設けられる。このスタンド４は底壁２ｅの前部と後部に設けているが、底壁の側部に垂下して設けてもよく、前後部と側部の双方に設けることもできる。
【００１７】
カード送り機構５は、ケース本体２の内部に配置して最後尾のカードを前方に向けて押すプッシャ５ａと、底壁の長孔７に対する挿通部をプッシャ５ａに連結して底壁２ｅの下部に沿わせるスライダ５ｂと、ケース本体２の前方下部に固定して設ける定荷重渦巻きばね５ｃとを有し、定荷重渦巻きばね５ｃの先端をスライダ５ｂに連結して構成されている。定荷重渦巻きばね５ｃはスタンド４に固定しているが、カードの収納、送り出しに支障がなければ底壁２ｅに固定しても差し支えない。
【００１８】
カード取出し口６は、ケース本体の前壁２ｃをその壁がＵ字状になるように切欠き、さらに、ケース本体２内の最前列のカードを上に向けて引き出せるように蓋３の一部を切欠いて形成されており、ケースの前部と上部に開口した口になっている。
【００１９】
このように構成したカードケース１は、プッシャ５ａを後方に引き動かし、そのプッシャ５ａの前方に生じた収納空間にカードＣを裏面が前になる向き揃えて縦列に並べて収納する。そしてこれを、カード装着装置にセットし、このカードケースから収納したカードを１枚ずつ供給する。
【００２０】
そのカード供給は、図示していない移動機構でカードケース１を図５に示すように前進させてケース内の最前列のカードＣを前方に待機している吸着パッド１１に押しつけ、次に、最前列のカードＣを吸着した吸着パッド１１を上昇させて最前列のカードＣをカード取出し口６から上方に引き出す。その後、吸着パッド１１を取り付けたアーム１３を旋回させて図６に示すようにカードの表面を吸着パッド１２に押しつけ、その後、２つの吸着パッド１１、１２を相対移動させて、鎖線で示すように２つ折りされたカードを開く。そしてこの状態を維持してカードＣと２つの吸着パッド１１、１２をホルダ１４などにセットされている靴下Ａ側に移動させ（図７参照）、カードＣが靴下Ａに嵌まったら、図８に示すように、カード押さえ装置２０の押さえアーム２１と押さえ板２２とでカードＣを上下から挟む。その後、吸着パッド１１、１２による吸着を解除する。
【００２１】
この状態を維持して靴下Ａとカードをカード縫い付け部に送ればミシンによるカード縫い付けが行える。
【００２２】
カードケース１に設けたカード送り機構５は、ばねの伸び量変化による荷重変動が起こらない定荷重渦巻きばね５ｃの力で動かすので、プッシャ５ａによるケース前壁２ｃへのカード押しつけ圧は常に一定し、吸着パッドでカードを吸着して引き出す際にカードが外れる等のトラブルが起こらない。
【００２３】
なお、ここでは、靴下に対するカード装着を例に挙げて説明を行ったが、この発明のカードケースに収納するカードは、靴下以外の物品に取り付けるものであってもよい。
【図面の簡単な説明】
【００２４】
【図１】この発明のカードケースの一例を示す側面図
【図２】図１のカードケースの断面図
【図３】図１のカードケースの正面図
【図４】図１のカードケースの底面図
【図５】カードケースからのカード取出し動作を示す図
【図６】カード開き動作を示す図
【図７】カードの嵌め込み動作を示す図
【図８】カード押さえ装置によるカード挟み付け状態を示す図
【符号の説明】
【００２５】
１              カードケース
２              ケース本体
２ａ、２ｂ      側壁
２ｃ            前壁
２ｄ            後壁
２ｅ            底壁
３              蓋
４              スタンド
５              カード送り機構
５ａ            プッシャ
５ｂ            スライダ
５ｃ            定荷重渦巻きばね
６              カード取出し口
７              長孔
８              留め具
１１、１２      吸着パッド
１３            アーム
１４            ホルダ
２０            カード押さえ装置
２１            押さえアーム
２２            押さえ板
【図１】
2005219920.tif 000003
【図２】
2005219920.tif 000004
【図３】
2005219920.tif 000005
【図４】
2005219920.tif 000006
【図５】
2005219920.tif 000007
【図６】
2005219920.tif 000008
【図７】
2005219920.tif 000009
【図８】
2005219920.tif 000010